(57)【要約】【課題】簡易な構成で二次電池の充電深度を精度良く計測可能な、充電深度計測機構、計測方法、及び当該計測機構を備える二次電池を提供する。【解決手段】  正極及び負極を備える二次電池の充電深度を計測する機構であって、二次電池の充電又は放電時における、正極及び負極のうち少なくとも一方の膨張又は収縮に起因して二次電池内部に生じる歪みの大きさを測定する、歪み測定手段と、歪み測定手段により測定された歪みの大きさに基づいて、二次電池の充電深度を特定する、充電深度特定手段と、を備えることを特徴とする、充電深度計測機構とする。【選択図】図２
2010032349.tif 000002
【特許請求の範囲】
【請求項１】
正極及び負極を備える二次電池の充電深度を計測する機構であって、
前記二次電池の充電又は放電時における、前記正極及び負極のうち少なくとも一方の膨張又は収縮に起因して前記二次電池内部に生じる歪みの大きさを測定する、歪み測定手段と、
前記歪み測定手段により測定された前記歪みの大きさに基づいて、前記二次電池の充電深度を特定する、充電深度特定手段と、
を備えることを特徴とする、二次電池の充電深度計測機構。
【請求項２】
前記歪み測定手段が、歪みゲージであることを特徴とする、請求項１に記載の二次電池の充電深度計測機構。
【請求項３】
前記歪みゲージが、前記正極又は前記負極の表面のうち電解質と接する側とは反対側の表面に備えられていることを特徴とする、請求項２に記載の二次電池の充電深度計測機構。
【請求項４】
正極及び負極を備える単セルが複数積層された二次電池の充電深度を計測する機構であって、
前記単セル同士を接続するとともに、前記二次電池の充電又は放電時における、前記正極及び負極のうち少なくとも一方の膨張又は収縮に起因して前記二次電池内部に生じる歪みの大きさを測定する、バイポーラレイヤと、
前記バイポーラレイヤにより測定された前記歪みの大きさから、前記二次電池の充電深度を特定する、充電深度特定手段と、
を備えることを特徴とする、二次電池の充電深度計測機構。
【請求項５】
請求項１〜４のいずれか一項に記載の充電深度計測機構を備える二次電池。
【請求項６】
正極及び負極を備える二次電池の充電深度を計測する方法であって、
前記二次電池の充電又は放電時における前記正極及び負極のうち少なくとも一方の膨張又は収縮に起因して前記二次電池内部に生じる歪みの大きさを測定する、歪み測定工程と、
前記歪み測定工程により測定された前記歪みの大きさから、前記二次電池の充電深度を特定する、充電深度特定工程と、
を備えることを特徴とする、二次電池の充電深度計測方法。
【発明の詳細な説明】
【技術分野】
【０００１】
本発明は、充電深度計測機構及び計測方法、並びに当該計測機構を備える二次電池に関し、詳しくは、従来よりも簡便な構成であるとともに高精度な二次電池用充電深度計測機構、計測方法、及び当該計測機構を備える二次電池に関する。
【背景技術】
【０００２】
近年、地球環境保護の観点から、低公害車としての電気自動車やハイブリッド自動車等に適用するべく、高出力かつ高容量な高性能電源が必要とされている。また、自動車等以外の分野においても、情報関連機器や通信機器等のモバイルツールの世界的な普及によって、当該モバイルツールを高性能化可能な二次電池が必要とされている。
【０００３】
二次電池は、活物質を含む正極、負極、固体電解質又は非水電解液等を備えて構成されている。このような二次電池は、安全のため、電池の充電深度を計測・制御できるよう構成されている。
【０００４】
二次電池の充電深度を計測する方法として、例えば、充電深度に依存して変化する電圧差を測定することで、充電深度を計測・制御するものがある。また、特許文献１には、リチウムイオン二次電池と、二次電池に重ねられた圧力センサと、当該二次電池及び圧力センサを挟持する挟持部材と、を備える電源が開示されており、このような構成によれば、充電又は放電時における二次電池の膨張・収縮に起因して変化する圧力を圧力センサの出力値として検出することで、二次電池の充電深度を計測できる、とされている。一方、特許文献２には、電池のフィルム外装体表面に歪みセンサを設けることで、内部圧力の上昇を検知する薄型電池が開示されている。
【０００５】
【特許文献１】特開２００５−２８５６４７号公報
【特許文献２】特開２０００−３４０２６４号公報
【発明の開示】
【発明が解決しようとする課題】
【０００６】
従来の二次電池においては、充電深度の変化による電圧差を測定することで、充電深度を制御するものであったが、充電深度による電圧差が非常に小さく、正確な充電深度を把握することが困難であった。また、特許文献１に記載の充電深度計測方法にあっては、二次電池と圧力センサとを挟持する挟持部材を必須としなければならず、二次電池が大型化してしまうという問題が生じていた。特許文献２に記載の薄型電池にあっては、単に二次電池の内圧を測定するものであり、二次電池の充電深度を精度良く計測・制御することはできないものであった。従って、小型化可能であるとともに簡便な構造にて精度よく二次電池の充電深度を計測できる方法が求められている。
【０００７】
本発明は上記問題に鑑みてなされたものであり、従来よりも簡便な構造であるとともに、精度よく充電深度を計測・制御することができる、二次電池の充電深度計測機構、計測方法、及び当該計測機構を備える二次電池を提供することを課題とする。
【課題を解決するための手段】
【０００８】
上記課題を解決すべく、本発明者らは鋭意検討した結果、充電又は放電時において、電池内部の正極、負極等の膨張率がそれぞれ異なることに起因して電池内部構造が特定方向に歪み、当該歪みの大きさを測定することで、簡便な構造で電池の充電深度を計測・制御できることを知見し、本発明を完成させた。
【０００９】
上記課題を解決するために、本発明は以下の構成をとる。すなわち、
第一の本発明は、正極及び負極を備える二次電池の充電深度を計測する機構であって、二次電池の充電又は放電時における、正極及び負極のうち少なくとも一方の膨張又は収縮に起因して二次電池内部に生じる歪みの大きさを測定する、歪み測定手段と、歪み測定手段により測定された歪みの大きさから、二次電池の充電深度を特定する、充電深度特定手段と、を備えることを特徴とする、二次電池の充電深度計測機構である。
【００１０】
ここに第一の本発明及び以下に示す本発明において、「二次電池の充電又は放電時における、正極及び負極のうち少なくとも一方の膨張又は収縮に起因して二次電池内部に生じる歪み」とは、例えば、二次電池をリチウムイオン二次電池とした場合、充電又は放電時に正極に含まれる活物質及び負極に含まれる活物質が、充電深度に応じて固有の膨張率を有する事に起因して、正極及び負極が相対的に膨脹又は収縮することによって生じる電池内部歪みをいう。
【００１１】
第一の本発明において、歪み測定手段が、歪みゲージであることが好ましい。
【００１２】
ここに、「歪みゲージ」とは、電池内部に生じる歪みの大きさを測定可能な一般的な歪みゲージであれば特に限定されずに適用でき、線ゲージであっても箔ゲージであってもよい。
【００１３】
歪み測定手段を歪みゲージとした場合の上記第一の本発明において、歪みゲージが、正極又は負極の表面のうち、電解質と接する側とは反対側の表面に備えられていることが好ましい。
【００１４】
ここに、「歪みゲージが、表面に備えられている」とは、例えば、正極又は負極の表面の形状変化に追従できるように、歪みゲージが表面と接している状態が挙げられ、例えば、歪みゲージが正極又は負極の表面に直接貼り付けられた状態や、嵌め込まれた状態等を挙げることができる。
【００１５】
第二の本発明は、正極及び負極を備える単セルが複数積層された二次電池の充電深度を計測する機構であって、単セル同士を接続するとともに、二次電池の充電又は放電時における、正極及び負極のうち少なくとも一方の膨張又は収縮に起因して二次電池内部に生じる歪みの大きさを測定する、バイポーラレイヤと、バイポーラレイヤにより測定された歪みの大きさから、二次電池の充電深度を特定する、充電深度特定手段と、を備えることを特徴とする、二次電池の充電深度計測機構である。
【００１６】
ここに、「バイポーラレイヤ」とは、正極及び負極を備える単セル同士を接続し、バイポーラ電極を形成する一般的なものであり、且つ、正極や負極の伸縮に起因する歪みの大きさを測定可能なものであれば、特に限定されない。例えば、正極、固体電解質、及び負極をこの順に積層してなる単セルを複数積層した全固体二次電池において、当該単セル同士を接続する機能を有するとともに、充電又は放電時における正極又は負極の膨張・収縮に起因してバイポーラレイヤ面方向の長さが変化し、当該変化によってバイポーラレイヤの有する抵抗値が変化するようなものを挙げることができる。この場合、バイポーラレイヤの抵抗値をモニターすることで電池内部の歪みの大きさを測定でき、ひいては二次電池充電深度を計測できる。
【００１７】
第三の本発明は、上記第一又は第二の本発明の充電深度計測機構を備える二次電池である。
【００１８】
第四の本発明は、正極及び負極を備える二次電池の充電深度を計測する方法であって、二次電池の充電又は放電時における正極及び負極のうち少なくとも一方の膨張又は収縮に起因して二次電池内部に生じる歪みの大きさを測定する、歪み測定工程と、歪み測定工程により測定された歪みの大きさから、二次電池の充電深度を特定する、充電深度特定工程と、を備えることを特徴とする、二次電池の充電深度計測方法である。
【発明の効果】
【００１９】
第一又は第二の本発明によれば、従来よりも簡便な構成であるとともに高精度な充電深度計測機構が提供される。従って、部材数を減らし小型化可能であるとともに、安全性に優れる機構とすることができる。
【００２０】
第三の本発明によれば、従来よりも簡便な構成であるとともに高精度な充電深度計測機構を備える二次電池が提供される。従って、従来の二次電池よりも小型化可能なため、単位体積あたりの出力密度を高くすることができ、且つ、安全性に優れる二次電池とすることができる。
【００２１】
第四の本発明によれば、従来よりも簡便な構成であるとともに高精度な二次電池の充電深度計測方法が提供される。従って、複雑な工程を有することなく安全性に優れる計測方法とすることができる。
【発明を実施するための最良の形態】
【００２２】
本発明にかかる充電深度計測方法は、図１に示される工程を有する。即ち、二次電池を充電又は放電させる工程（充電又は放電工程）、二次電池内部の歪みの大きさを測定する工程（歪み測定工程）、測定された二次電池内部の歪みの大きさから充電深度を特定する工程（充電深度特定工程）により、充電深度が計測される。このような計測方法を実現できる計測機構について説明する。
【００２３】
以下、本発明の充電深度計測機構を全固体リチウム二次電池に適用した場合について説明するが、本発明の充電深度計測機構は、充電又は放電時において、正極又は負極が膨脹・収縮し、電池内部に歪みを生じ得る二次電池（例えば、非水電解液二次電池や、ナトリウム二次電池等）全てに適用することができる。
【００２４】
１．第一実施形態
まず、本発明の第一実施形態の充電深度計測機構及び二次電池にかかる、二次電池内部歪みの測定原理について説明する。図２は、正極１、固体電解質２、及び負極３をこの順に有する単セル４が備えられた全固体リチウム二次電池１００（以下、「二次電池１００」という。）の一部を示す概略図である。二次電池１００の配線等については、見やすさのため省略してある。二次電池１００において、正極１の固体電解質２と接する側とは反対側の表面に、歪み測定手段としての歪みゲージ１０が備えられている。
【００２５】
二次電池１００が、例えば図２（ｂ）のような状態にあるとする。このとき、二次電池１００は通電されておらず、充電又は放電をしていない状態にあるとし、図のように単セル４内の歪みはほぼなく、ほとんど湾曲していない状態にある。この状態から、二次電池１００を充電又は放電させると、正極１及び負極３中の活物質間をリチウムイオンが移動し、正極及び負極の膨張率がそれぞれ変化する。即ち、正極１及び負極３は充電又は放電中、相対的に膨脹、収縮する。正極１及び負極３の膨張率は電池の充電深度により異なるため、電池内部には特定方向に歪みが生じることとなる。この歪みの大きさは、二次電池１００の充電深度に依存する。仮に負極３が相対的に膨脹した場合二次電池１００は図２（ａ）のような状態になるものと考えられる。即ち、単セル４の平面について、負極３側の面が凸、正極１側の面が凹となるように湾曲した状態となる。図２（ｂ）の状態から図２（ａ）の状態になったとき、正極１の表面に貼り付けられた歪みゲージ１０も湾曲し、特定方向に縮んだ状態となる。
【００２６】
一方で、仮に正極１が相対的に膨脹した場合、二次電池１００は図２（ｃ）のような状態になるものと考えられる。即ち、単セル４の平面について、正極１側の面が凸、負極３側の面が凹となるように湾曲した状態となる。図２（ｂ）の状態から図２（ｃ）の状態になったとき、正極１の表面に貼り付けられた歪みゲージも湾曲し、特定方向に伸びた状態となる。
【００２７】
また、図には表れていないが、正極１、負極３ともに膨脹する場合や、正極１、負極３ともに収縮する場合も考えられる。このような場合であっても、歪みゲージにより、特定方向の歪みの大きさが測定される。
【００２８】
二次電池１００の歪み方向及び大きさは、二次電池１００の充電深度に依存する。従って、正極１表面に貼り付けられた歪みゲージによって、正極１表面の歪みの大きさが測定されることにより、測定された歪みの大きさに基づいて、二次電池１００の充電深度を特定することができる。
【００２９】
上述のような原理によって、本発明の充電深度計測機構は作動する。以下各構成部材について説明する。
【００３０】
１．１．歪みゲージ１０
図２においては、二次電池１００にかかる構成の一つである歪みゲージ１０が、二次電池１００の正極１の表面に備えられた状態にある。正極１の表面に備えられることで、特に正極１の膨張・収縮に起因する歪みを精度よく測定することができる。但し、二次電池１００内部に生じる歪みの大きさを測定可能であれば、二次電池１００のいかなる箇所に備えられていてもよい。例えば、負極３の固体電解質２と接する側とは反対側の面や、単セル４を収容するケース表面のうち正極又は負極の膨張、収縮の影響を受けて変形し得る面、さらには単セル４内部に備えられていてもよい。歪みゲージ１０の設置個所については、二次電池の構成材料等により適宜決定される。設置方法としては特に限定されず、例えば圧着や接着剤等によって貼り付けられた形態、嵌め込まれた状態等を挙げることができる。図２においては、一つの歪みゲージ１０が備えられた状態が示されているが、二次電池１００には複数の歪みゲージ１０が備えられていてもよい。
【００３１】
歪みゲージ１０の種類としては、二次電池１００に設置可能な形態であれば、線ゲージ、箔ゲージ問わず適用することができ、例えば、部材長さが変化することによって抵抗値が変化し、当該抵抗値の変化から歪みの大きさを測定する一般的な歪みゲージを使用することができる。
【００３２】
１．２．単セル４（正極１、固体電解質２、及び負極３）
図２には、正極活物質等を有する正極１、固体電解質２、及び負極活物質等を有する負極３をこの順に積層してなる単セル４が示されている。図２において配線等については省略されているが、二次電池用単セルとして必要な構成を特に限定せずに適用できる。図２（ｂ）において、単セル４の形状は略平面状としたが、当該形状に限定されず、例えば、セルが巻き取られてなる形状であってもよいし、外装ケースの形状に合わせた形状であってもよい。単セル４の厚みについても、一般的な二次電池に適用可能な厚みであれば、特に限定されない。
【００３３】
正極１、固体電解質２、及び負極３については、リチウム全固体二次電池として使用可能なものであれば、特に限定されずに適用できる。正極１としては、ＬｉＣｏＯ２、ＬｉＮｉＯ２等の活物質、炭素等の導電材、及び集電体としての金属箔等からなるものを例示することができる。固体電解質２としては、硫化物系やリン化合物系のリチウム無機固体電解質等からなるものや、ゲルとセパレータとを組み合わせたものを例示することができる。負極３としては、ＬＴＯ、Ｓｉ−Ｌｉ合金、炭素等の活物質、導電材、及び集電体としての金属箔等からなるものを例示することができる。正極１と負極３とは、異なる材質からなり、且つ、充電又は放電時にリチウムイオンを吸蔵・放出する。従って、二次電池１００を充電又は放電した際には、正極１と負極３とは、互いに異なる膨張率にて相対的に膨脹又は収縮する。そのため単セル４は、充電又は放電の前後において歪むこととなる。
【００３４】
単セル４の作製方法については、歪みゲージ１０の設置個所に応じて適宜選択され得る。例えば、図２のように、歪みゲージ１０を、正極１の固体電解質２と接する側とは反対側表面、即ち単セル４の外側に設置する場合には、正極１、固体電解質２、及び負極３の順となるよう積層して作製すればよい。積層の際には、スプレーコートやロールコートにより塗布、乾燥する方法や、予め作製したシート同士を圧着する方法等、適宜選定することができる。また、例えば、歪みゲージ１０を正極１の固体電解質２と接する側の表面に設置する場合には、正極１、固体電解質２、及び負極３の順となるよう積層し、且つ、正極１と固体電解質２との間に歪みゲージ１０を挟みこむように正極１と固体電解質２とを積層すればよい。この場合における積層方法についても、特に限定されない。
【００３５】
１．３．その他
上述の通り、歪みゲージ１０は、二次電池１００内部に生じた歪みによって変形した際、歪みゲージ１０の有する抵抗値が変化し、当該抵抗値の変化に基づいて、生じた歪みの大きさを測定するものが挙げられる。そのため、歪みゲージ１０はリード等によって配線されている。歪みゲージ１０の配線については、二次電池１００内部に設置可能な一般的なものであれば特に限定されない。
【００３６】
また、二次電池１００には、歪みゲージ１０によって測定された歪みの大きさに基づいて、二次電池１００の充電深度を特定する、充電深度特定手段（不図示）が備えられている。充電深度特定手段の形態は特に限定されないが、例えば、歪みゲージ１０によって測定された歪みの大きさと二次電池１００の充電深度との関係を予め数式化しておき、当該数式から、二次電池１００の充電深度を計算し、特定する手段とすることができる。特定手段は同時に、二次電池の充電深度を制御できる、制御手段としての機能を備えていてもよい。制御手段としては、例えば、歪みゲージ１０によって測定された歪みの大きさと二次電池１００の充電深度との関係を予め数式化しておき、当該数式から、二次電池１００の充電深度を計算、特定し、当該特定値が、目的の数値範囲となるよう、電池の充電・放電を制御するものであればよい。また、充電深度を特定することなく、単に歪みゲージ１０によって測定された歪みの大きさをモニターし、歪みの大きさが目的の数値範囲となるよう、電池の充電・放電を制御するものであってもよい。
【００３７】
二次電池１００の充電深度は、歪みゲージ１０と特定手段とによって容易に計測される。歪みゲージは部材としてごく小さなものであるため、従来よりも小型化可能な機構とすることができる。また、充電深度を電池電圧差によって計測・制御する従来の機構と比べて、高精度且つ信頼性の高いものとなる。従って、本発明にかかる充電深度計測機構を備える二次電池１００は、単位体積当たりの出力密度が高く、且つ、安全性に優れた二次電池である。
【００３８】
２．第二実施形態
次に、本発明の第二実施形態の充電深度計測機構及び二次電池の構成について説明する。図３には、正極１、固体電解質２、及び負極３をこの順に有する単セル４がバイポーラレイヤ２０を介して複数積層された積層全固体二次電池２００（以下、二次電池２００という。）が示されている。バイポーラレイヤ２０からはリードが伸びており、抵抗計３０へと接続されている。
【００３９】
２．１．バイポーラレイヤ２０
二次電池２００は複数の単セル４のセル間にバイポーラレイヤ２０を有する。見方を変えれば、バイポーラレイヤ２０の片側の面に正極１、もう片側の面に負極２を備えるバイポーラ電極となっている。このように、単セル４同士はバイポーラレイヤ２０によって接続されている。
【００４０】
本発明において、バイポーラレイヤ２０は、単セル４同士を接続し、バイポーラ電極としての機能を有する他に、二次電池２００の歪みの大きさを測定する機能も有している。二次電池２００を充電又は放電させると、電池内部に歪みが生じる。これは、第一実施形態におけるものと同様、各構成の材質の違いや、活物質間のイオンの移動等による正極１や負極３の膨脹又は収縮によって生じるものである。このような歪みにより、バイポーラレイヤ２０は膨脹又は収縮し、バイポーラレイヤ２０の有する抵抗値は変化する。図３のように、略平面状にて積層された二次電池２００においては、バイポーラレイヤ２０の面内方向の抵抗値の変化を抵抗計３０によってモニターすることで、二次電池２００の内部歪みの大きさを正確に測定することができる。上述の通り、電池内部の歪みの大きさは充電深度に依存しているため、二次電池２００内部に生じる歪みの大きさを正確に測定することで、二次電池２００の充電深度を精度よく計測することができる。
【００４１】
バイポーラレイヤ２０の材質としては、特に限定されず、全固体二次電池に適用可能なものを任意に適用可能である。例えば、ステンレス鋼、銅、ニッケル、チタン、アルミニウム、鉄、マグネシウム等の金属、及びこれらを含有する合金を用いることができる。
【００４２】
バイポーラレイヤ２０の形状としては、二次電池２００の面方向に対して、バイポーラレイヤ２０の抵抗値の変化をモニターすることができる形状であれば、特に限定されない。例えば、上述の金属を箔状とした、金属箔を用いることができる。また、バイポーラレイヤの面方向抵抗値の変化をより精度よくモニターする観点からは、歪みゲージに施されるパターニングと同様のパターニングを有するバイポーラレイヤとすることが好ましく、特に、図４に示すようなパターニング２５を有するバイポーラレイヤとすることが好ましい。図４のパターニング２５を有するバイポーラレイヤとすれば、抵抗値の面方向の測定経路が引き延ばされ、レイヤ長さ変化に対して、抵抗値測定経路長さがより大きく変化し、抵抗値に対する測定感度を上げることができる。
【００４３】
２．２．その他
二次電池２００は、バイポーラレイヤ２０を備え、片側を正極１、もう片側を負極２とされたバイポーラ電極とされている。そのため、正極１、負極２中に別途集電体を用いなくてもよい。その他の構成については、第一実施形態における正極１、固体電解質２、負極３、単セル４、充電深度特定手段、及び制御手段と同様の構成とすることができる。
【００４４】
二次電池２００の充電深度は、バイポーラレイヤ２０と充電深度特定手段とによって容易に計測される。また、バイポーラレイヤ２０に歪み測定手段としての機能を持たせることで、必要な部材数を減らすことができ、従来よりも小型化可能な機構とすることができる。このことで、充電深度を電池電圧差によって計測・制御する従来の機構と比べて、高精度且つ信頼性の高いものとなる。従って、本発明にかかる充電深度計測機構を備える二次電池２００は、単位体積当たりの出力密度が高く、且つ、安全性に優れた二次電池である。
【実施例】
【００４５】
＜第一実施形態について＞
正極としてＬｉＣｏＯ２膜、固体電解質としてＬｉＰＯＮ、負極としてＬＴＯを有する全固体リチウム二次電池について、二次電池の充電時における電池内部に生じる歪みの大きさを測定した。歪み測定手段としては、歪みゲージ（共和電業社製  ＫＦＧ−５）を用いた。歪みゲージは、正極の表面のうち、固体電解質と接する側とは反対側の表面に設置した（図２の状態）。
【００４６】
二次電池を充電すると、正極が相対的に膨脹することが確認された。即ち、正極の膨張に伴い、歪みゲージが伸び、ゲージの抵抗値が変化することで、二次電池内部に生じた歪みの大きさを正確に測定することができた。充電前と比較して、充電後の正極は、面方向に対して０．５％伸びていた。
【００４７】
＜第二実施形態について＞
正極としてＬｉＣｏＯ２膜、固体電解質としてＬｉＰＯＮ、負極としてＳｉ−Ｌｉ合金を有する二次電池単セルを、ニッケルからなるバイポーラレイヤを介して複数積層し、積層全固体リチウム二次電池とした。当該積層二次電池の充電時における電池内部に生じる歪みの大きさを測定した（図３の状態）。
【００４８】
二次電池を充電すると、正極及び負極ともに面方向に１．５％伸びることが確認された。そのため、バイポーラレイヤについても面方向に伸び、抵抗値が変化し、二次電池内部に生じた歪みの大きさを正確に測定することができた。
【００４９】
以上のことから、二次電池の充電深度と電池内部に生じる歪みの大きさとは相関関係にあり、当該歪みの大きさを測定することで、充電深度を計測可能であることが分かった。従って、本発明にかかる充電深度計測機構は、従来の計測機構よりも簡易な構成であるとともに、高精度な計測機構とすることができた。
【００５０】
以上、現時点において、最も実践的であり、且つ、好ましいと思われる実施形態に関連して本発明を説明したが、本発明は、本願明細書中に開示された実施形態に限定されるものではなく、請求の範囲及び明細書全体から読み取れる発明の要旨あるいは思想に反しない範囲で適宜変更可能であり、そのような変更を伴う充電深度計測機構、計測方法、及び当該計測機構を備える二次電池もまた本発明の技術範囲に包含されるものとして理解されなければならない。
【図面の簡単な説明】
【００５１】
【図１】充電深度計測方法の各工程を示すフローチャートである。
【図２】充電深度計測機構を備える二次電池の一部を示す概略図である。
【図３】充電深度計測機構を備える二次電池の一部を示す概略図である。
【図４】バイポーラレイヤの形態例を示す概略図である。
【符号の説明】
【００５２】
１  正極
２  固体電解質
３  負極
４  単セル
１０  歪みゲージ（歪み測定手段）
２０  バイポーラレイヤ
２５  パターニング
３０  抵抗計
１００、２００  二次電池
【図１】
2010032349.tif 000003
【図２】
2010032349.tif 000004
【図３】
2010032349.tif 000005
【図４】
2010032349.tif 000006